(57)【特許請求の範囲】
【請求項１】
軸部（１）と、軸部（１）の先端に設けられ外径が先端側に向かうに従って減少した針先部（２）とを備え、針先部（２）に返り部分（４ｂ）が形成された釣り針において、
針先部（２）は、軸部（１）の先端側に延設されたテーパ部（３）と、このテーパ部（３）の先端側に形成された返り形成部（４）と、この返り形成部（４）の先端側に形成された先の尖った切っ先部（５）とを備え、
テーパ部（３）は、その外径が先端側の返り形成部（４）に向かうに従って徐々に減少して返り形成部（４）に連なるものであり、
返り形成部（４）は、その外径が軸部（１）より小さく且つ軸方向に略一定である平行軸部分（４ａ）と、この平行軸部分（４ａ）から径外方向に突出する返り部分（４ｂ）とを備えるものであり、
切っ先部（５）は、その外径が返り形成部（４）から先端に向かうに従って徐々に減少して先の尖った先端（５ａ）を形成するものであることを特徴とする釣り針。
【請求項２】
軸部（１）と、軸部（１）の先端に設けられ外径が先端側に向かうに従って減少した針先部（２）とを備え、針先部（２）に返り部分（４ｂ）が形成された釣り針を製造する方法において、
釣り針用の軸素材の先端側をテーパ状に加工するテーパ部（３）の形成工程と、
このテーパ部（３）の先端側について、その外径を一定に形成する平行軸部分（４ａ）の形成工程と、
この平行軸部分（４ａ）の先端側について、その先端（５ａ）を尖らせる切っ先部（５）の形成工程と、
平行軸部分（４ａ）の軸素材に刃物を入れて平行軸部分（４ａ）から径外方向に突出する返り部分（４ｂ）を形成する返り形成工程とを含むことを特徴とする釣り針の製造方法。
【発明の詳細な説明】
【０００１】
【発明の属する技術分野】
本願発明は、釣り針及びその製造方法に関するものである。
【０００２】
【従来の技術】
一般に、釣り針は、図５に示すように、金属製の線材からなる軸部１０１の先端側を湾曲させ、その先端に針先部１０２を設けると共に、その基端にチモト１０３を形成したものである。針先部１０２は、返り形成部１０４と、この返り形成部１０４の先端側に形成された先の尖った切っ先部１０５とを備える。返り形成部１０４は、軸部１０１と略同一の外径を有する平行軸部分１０４ａに、径外方向に突出する返り部分１０４ｂを形成したものである。
【０００３】
この釣り針の針先部１０２の加工は、次のようにして行われる。まず、一定の外径を有する線材の先端を、尖頭機と呼ばれる研削装置によって、先端の尖ったテーパ状に加工して、切っ先部１０５を形成する。次に、切っ先部１０５近辺の平行軸部分１０４ａに刃物ｈを押し当てて、先端側に移動させることによって、返り部分１０４ｂを形成するものである。
このように、針先部１０２の加工が行われた線材は、湾曲させられると共に、チモト１０３を加工して、釣り針の形状を完成させるものである。
【０００４】
ここで、切っ先部１０５は、上記のように、軸部１０１をテーパ状に加工して形成するものであり、その先端角αは、軸部１０１の外径と切っ先部１０５の長さによって、決定される。この先端角αは、小さいほど先が先鋭に尖り、針の刺さりが良くなる。ところが、返り部分１０４ｂは、針先の最先端から所定の長さｘの位置に、軸部１０１（平行軸部分１０４ａ）を加工して形成するものであるため、切っ先部１０５の長さのみを、無闇に変更することはできない。また、切っ先部１０５の長さのみを無闇に長くすると、切っ先１０５の強度が低下してしまう。従って、先端角αを小さくするのにも、強度と、返り部分１０４ｂの位置関係で、限度があるとされているのが、現状である。
【０００５】
ここで、針先の最先端と返り部分１０４ｂとの間の長さｘを変更せずに、先端角αを小さくするには、返り部分１０４ｂをテーパ部分に形成する必要がある。即ち、先端角αを小さくするには、軸部１０１をテーパ状に加工し、切っ先部１０５を形成するに際して、テーパ部分の長さを長くすることになり、テーパ部分の中程に、返り部分１０４ｂを加工することとなる。
ところが、テーパ部分の中程に、返り部分１０４ｂを形成するのは困難であり、また、返り部分１０４ｂの形状が安定せず、不良品の発生率も高くなってしまう。詳しくは、返り部分１０４ｂは、前述のように、線材に所定角度で刃物ｈを押し当てて、先端側に移動させることによって形成されるものであるが、テーパ状に加工された線材に刃物ｈを押し当てる場合、線材表面と刃物ｈとの角度の設定が困難である。また、先端側に刃物ｈを移動させる際、テーパ状であると、刃物ｈと線材との位置関係がずれ易く、上手く返り部分１０４が形成できずに、不良品の発生率が高くなってしまう。さらに、これらの設定を上手く行ったとしても、テーパ部分は、先端に向かうに従って外径が小さくなっていくため、外径の変化しない通常の部分に形成した返り部分１０４ｂと同一の返り部分を形成することは、不可能であると言っても過言でない。
【０００６】
【発明が解決しようとする課題】
しかして、本願発明は、軸部と、軸部１の先端に設けられ外径が先端側に向かうに従って減少した針先部２とを備え、針先部２に返り部分４ｂが形成された釣り針において、良好な返り部分を形成することができるようにした釣り針、並びに釣り針の製造方法を提供せんとするものである。
【０００７】
【課題を解決するための手段】
本願の第１の発明は、軸部１と、軸部１の先端に設けられ外径が先端側に向かうに従って減少した針先部２とを備え、針先部２に返り部分４ｂが形成された釣り針において、針先部２は、軸部１の先端側に延設されたテーパ部３と、このテーパ部３の先端側に形成された返り形成部４と、この返り形成部４の先端側に形成された先の尖った切っ先部５とを備え、テーパ部３は、その外径が先端側の返り形成部４に向かうに従って徐々に減少して返り形成部４に連なるものであり、返り形成部４は、その外径がその外径が軸部１より小さく且つ一定である平行軸部分４ａと、この平行軸部分４ａから径外方向に突出する返り部分４ｂとを備えるものであり、径外方向に突出する返り部分４ｂを備えるものであり、切っ先部５は、その外径が返り形成部４から先端に向かうに従って徐々に減少して先の尖った最先端５ａを形成するものであることを特徴とする釣り針を提供することにより、上記の課題を解決する。
【０００８】
本願の第２の発明は、軸部１と、軸部１の先端に設けられ外径が先端側に向かうに従って減少した針先部２とを備え、針先部２に返り部分４ｂが形成された釣り針を製造する方法において、釣り針用の軸素材の先端側をテーパ状に加工するテーパ部３の形成工程と、このテーパ部３の先端側について、その外径を一定に形成する平行軸部分４ａの形成工程と、この平行軸部分４ａの先端側について、その先端５ａを尖らせる切っ先部５の形成工程と、平行軸部分４ａの軸素材に刃物を入れて平行軸部分４ａから径外方向に突出する返り部分４ｂを形成する返り形成工程とを含むことを特徴とする釣り針の製造方法を提供することにより、上記の課題を解決する。
【０００９】
【発明の実施の形態】
以下、添付図面と共に本願発明の実施の形態について説明する。
図１（Ａ）は本願発明の実施の形態に係る釣り針の側面図であり、（Ｂ）は同要部拡大図である。図２及び図３は同釣り針の製造工程の説明図であり、図２（Ａ）は第１工程、図２（Ｂ）は第２工程、図３（Ａ）は第３工程、図３（Ｂ）は第４工程を示す。
【００１０】
この実施の形態に係る釣り針は、金属製の線材からなる軸部１と、その先端側を湾曲させて、腰部６と呼ばれる部分を形成すると共に、その先端を加工した針先部２を備える。軸部１の基端側には、糸結び部分として幅広な偏平状のチモト７が形成されている。
【００１１】
針先部２は、軸部１の先端側に延設されたテーパ部３と、このテーパ部３の先端側に形成された返り形成部４と、この返り形成部４の先端側に形成された先の尖った切っ先部５とを備える。
軸部１の外径は略一定であり、その先端側に形成されたテーパ部３は、その外径が先端側の返り形成部４に向かうに従って徐々に減少している。
【００１２】
返り形成部４は、その外径が一定である平行軸部分４ａから径外方向に突出する返り部分４ｂを備えるものである。この平行軸部分４ａの外径は、テーパ部３の最小外径に略等しく設定されている。そして、この平行軸部分４ａの一部分を逆立てるようにして、返り部分４ｂが形成されているものである。尚、平行軸部分４ａは、その外径が軸方向において完全に一定であることが最も望ましいが、極めて細い線材を用いて完全にその外径を一定にすることは実質的に不可能であると言っても過言でなく、若干の外径の変化は許容されるものである。但し、その変化は、テーパ部３や、切っ先部５における外径の変化より小さいものとする。
【００１３】
切っ先部５は、その外径が返り形成部４から先端に向かうに従って徐々に減少して先の尖った最先端５ａを形成するものであり、その先端角αは、従来の同種の釣り針に比して小さく、鋭利に形成されている。
【００１４】
尚、図１（Ｂ）においては、テーパ部３から最先端５ｂまでの針先部２の全体を直線状に描いているが、釣り針の全体形状に応じてその一部（特にテーパ部３）は湾曲して形成することができる。特に、テーパ部３から最先端５ｂまでの長さを長くした場合、そのテーパ部３の一部は湾曲した腰部６の一部となるため、湾曲したものとして実施されることとなる。
【００１５】
次に、この釣り針の製造方法を説明する。
第１工程（テーパ部３の形成工程）
まず、図２（Ａ）に示すように、回転する砥石車を備えた尖頭機等の研削装置（図示せず）によって、釣り針用の軸素材ｊの先端側を、テーパ状に研削する。このテーパ状部分ｔの加工は、完成品のテーパ部３のみについて行えばよく、この例では、完成品のテーパ部３より先端側の部分についても、径の変化の小さな略平行の部分ｕ並びに、径が漸次大きくなる逆テーバ部分ｖを形成している。このテーパ状部分ｔ、略平行の部分ｕ及び逆テーバ部分ｖは、連続した緩やかな弓状となっており、砥石車を備えた尖頭機の場合には、この弓状の外形を、１つの工程で加工した方が、完成品のテーパ部３のみを加工するより、能率的である。このテーパ状部分ｔの角度は、完成品のテーパ部３の角度と同一とすればよい。尚、以下の説明において、テーパに関する角度は、軸方向に直交する方向から見た外形線がなす角度を意味するものとする。
【００１６】
第２工程（平行軸部分４ａの形成工程）
次に、図２（Ｂ）に示すように、上記研削装置を用いて、このテーパ状部分ｔの軸方向の先端側部分（上記の略平行の部分ｕ）について、その外径が一定になるように研削を行い、平行軸部分４ａを完成させる。この研削を行う中央部分の軸方向の位置及び長さは、完成品の平行軸部分４ａと同一とすればよい。この場合においても、略平行の部分ｕのみを加工するのではなく、逆テーバ部分ｖも同時に加工した方が能率的である。
【００１７】
第３工程（切っ先部５の形成工程）
次に、図２（Ｃ）に示すように、上記研削装置を用いて、平行軸部分４ａの先端側の部分をさらに研削し、最先端５ａを尖らせることにより、切っ先部５を形成する。この研削を行う先端側の部分の軸方向の位置及び長さは、完成品の切っ先部５と同一とすればよい。
尚、この切っ先部５の形成工程は、上記の平行軸部分４ａの形成工程より先に行うことも可能である。
【００１８】
第４工程（返り形成工程）
次に、図３に示すように、平行軸部分４ａの軸素材に返り形成用の刃物ｈを押し付けつつ、先端方向に移動させることにより、平行軸部分４ａから径外方向に突出する返り部分４ｂを形成する。このように、返りの加工は、平行軸部分４ａについて行うため、従来の一通常の釣り針における返りの加工技術をそのまま適用でき、良好な返り部分４ｂを、問題なく量産し得る。
【００１９】
上記の製造方法の他、この釣り針の製造工程は種々変更して実施し得るものであり、例えば、図４（Ａ）に示すように、第１工程（テーパ部３の形成工程）について、釣り針用の軸素材ｊの先端側の全体を、先端部分まで、テーパ状に研削して、テーパ状部分ｔとする。次に、第２工程（平行軸部分４ａの形成工程）として、図４（Ｂ）に示すように、テーパ状部分ｔの軸方向の中央部分について、その外径が一定になるように研削を行い、平行軸部分４ａを形成する。そして、第３工程以下は、上記の工程と実質的に同様とする。
【００２０】
以上により、針先の加工が完了し、その後は、常法によって、チモト７を加工すると共に、軸部１を湾曲させて腰部６を形成して、釣り針の形状を完成させる。尚、腰部６の形成に際して湾曲させる部分が、テーパ部３に及んでもよいことは前述の通りである。
【００２１】
上記の説明から理解されるように、本願発明に係る釣り針にあっては、切っ先部５の長さ（即ち、針先の最先端５ａと返り部分４ｂとの間の長さｘ）を、図１に示す従来の釣り針と同じに設定したとしても、切っ先部５の基端における外径は、軸部１の外径よりも小さくなっているため、先端角αを従来の釣り針より小さくすることができ、鋭利で魚に対して良好に刺さる針先を形成することができたものである。しかも、この切っ先部５は、この部分の長さを無闇に長くしたものではないため、その強度が著しく低下していることもない。
さらに、返り形成部４は、その平行軸部分４ａから返り部分４ｂを加工するものであるため、従来と同様に、良好な返り部分４ｂを形成することができるものである。
【００２２】
本願発明は、上記の実施の形態に限定されるものではなく、特許請求の範囲にて特定した手段を含む種々の形態で実施することができ、例えば、１本針に限らず、２本針、３本針において実施することもでき、糸結び部分についても、線材を円形に湾曲させたものであってもよい。軸部１並びに針先部２の断面形状についても、真円形状以外に、楕円形や略多角形状等の種々の形状として実施し得るものである。また、製造方法についても、上記の例に限定されるものではなく、また、研削以外の方法で、本願発明に係る釣り針を製造するものであってもよい。
【００２３】
【発明の効果】
以上のように、一般に、返り部分は、線材に所定角度で刃物を押し当てて、先端側に移動させることによって形成されるものであるが、テーパ状に加工された線材に刃物を押し当てる場合、線材表面と刃物との角度の設定が困難であり、また、先端側に刃物ｈを移動させる際、テーパ状であると、刃物と線材との位置関係がずれ易く、上手く返り部分が形成できずに、不良品の発生率が高くなってしまうという、従来技術が有していた課題を本願発明は解決したものであり、本願の第１の発明は、軸部と、軸部１の先端に設けられ外径が先端側に向かうに従って減少した針先部２とを備え、針先部２に返り部分４ｂが形成された釣り針において、良好な返り部分を形成することができるようにした釣り針を提供することができたものである。
本願の第２の発明は、上記第１の発明に係る釣り針を、能率的に生産することができる製造方法を提供することができたものである。
【図面の簡単な説明】
【図１】  （Ａ）は本願発明の実施の形態に係る釣り針の側面図であり、（Ｂ）は同要部拡大図である。
【図２】  同釣り針の製造工程の説明図であり、（Ａ）は第１工程、（Ｂ）は第２工程、（Ｃ）は第３工程を示す。
【図３】  同釣り針の製造の第４工程の説明図である。
【図４】  同釣り針の他の製造工程の説明図であり、（Ａ）は第１工程、（Ｂ）は第２工程を示す。
【図５】  （Ａ）は従来の釣り針の側面図であり、（Ｂ）は同要部拡大図である。
【符号の説明】
１      軸部
２      針先部
３      テーバ部
４      返り形成部
４ａ    平行軸部分
４ｂ    返り部分
５      切っ先部
５ａ    先端
【図１】
0003677204.tif 000002
【図２】
0003677204.tif 000003
【図３】
0003677204.tif 000004
【図４】
0003677204.tif 000005
【図５】
0003677204.tif 000006